(57)【特許請求の範囲】
【請求項１】
食料品を少なくとも含む商品の販売情報を提供する情報提供装置であって、
前記商品の重み付けを表す重付情報が設定されている前記商品の情報を含む商品データベースと、１以上の前記商品を用いた料理の情報を含むレシピデータベースとを記憶し、前記レシピデータベースとして、レシピごとにレシピの種別を含む記憶手段と、
購入者の端末へ前記商品の情報を前記商品データベースに基づいて提供し、該購入者の端末から前記商品の選択を入力し、レシピの種別の選択を入力すると、該選択された商品を用い、該選択された種別である１以上のレシピであって、前記重付情報により重み付けられた他の商品を用いるレシピを前記重付情報に応じた優先順位で含む一覧メニュー情報を前記商品データベース及び前記レシピデータベースを用いて作成し、該作成した前記一覧メニュー情報を前記購入者の端末へ出力する出力制御手段と、
を備えた情報提供装置。
【請求項２】
前記出力制御手段は、前記商品の情報を配列した商品画面を前記購入者の端末へ出力し前記商品の選択を入力したあと、前記商品画面で選択された商品の情報に隣接配置され、前記優先順位の高いレシピをより上位に配置した一覧メニュー画面を前記一覧メニュー情報として前記購入者の端末へ出力する、請求項１に記載の情報提供装置。
【請求項３】
前記一覧メニュー画面には、前記重付情報により重み付けられた他の商品の情報を含む前記レシピに要する商品リスト表示欄と、前記レシピによる調理法の情報を表示する調理法表示欄と、前記レシピに要する前記商品の価格に関する情報を表示する価格表示欄とのうち１以上を前記レシピごとに含む、請求項２に記載の情報提供装置。
【請求項４】
前記重付情報は、お買い得度、お勧め度及び商品の利益率のうち１以上の基準に基づいて販売者により設定されている、請求項１〜３のいずれか１項に記載の情報提供装置。
【請求項５】
前記出力制御手段は、購入者全体での前記商品の選択回数を加味した前記重付情報に応じた優先順位で前記レシピを含む前記一覧メニュー情報を作成する、請求項１〜４のいずれか１項に記載の情報提供装置。
【請求項６】
前記重付情報は、ポイント数が大きいほど重みが重く設定されており、該重みが重いほど前記優先順位が高い、請求項１〜５のいずれか１項に記載の情報提供装置。
【請求項７】
前記出力制御手段は、前記選択された商品を材料として含むレシピを前記レシピデータベースから抽出し、該抽出したレシピに要する他の商品の情報を前記重付情報と共に前記商品データベースから取得し、前記レシピに要する他の商品の重付情報を前記レシピごとに集計し、前記集計結果に基づいて前記優先順位を設定し、前記優先順位の順に前記レシピを含む前記一覧メニュー情報を作成する、請求項１〜６のいずれか１項に記載の情報提供装置。
【請求項８】
前記購入者により購入済みの商品を施錠可能な複数の納品庫を有するストッカに配送するストッカシステムに用いられる、請求項１〜７のいずれか１項に記載の情報提供装置。
【請求項９】
食料品を少なくとも含み重み付けを表す重付情報が設定されている商品の情報を含む商品データベースと、１以上の前記商品を用いた料理の情報を含むレシピデータベースとを記憶し、前記レシピデータベースとして、レシピごとにレシピの種別を含む記憶手段、を備え、前記商品の販売情報を提供するコンピュータが実行する情報提供方法であって、
（ａ）購入者の端末へ前記商品の情報を前記商品データベースに基づいて提供するステップと、
（ｂ）前記購入者の端末から前記商品の選択を入力し、レシピの種別の選択を入力すると、該選択された商品を用い、該選択された種別である１以上のレシピであって、前記重付情報により重み付けられた他の商品を用いるレシピを前記重付情報に応じた優先順位で含む一覧メニュー情報を前記商品データベース及び前記レシピデータベースを用いて作成するステップと、
（ｃ）前記作成した前記一覧メニュー情報を前記購入者の端末へ出力するステップと、
を含む情報提供方法。
【発明の詳細な説明】
【技術分野】
【０００１】
本発明は、情報提供装置及び情報提供方法に関する。
【背景技術】
【０００２】
従来、情報提供装置としては、ネットスーパーにおいて、顧客ＤＢに登録された購入者の家族構成の情報に基づいて料理の各素材の数量を表示するものが提案されている（例えば、特許文献１参照）。この装置では、購入者は希望する素材を選択することにより、数量については配慮する必要がないので、買い物に際しての手間を省いて手軽に買い物をすることができるとしている。
【先行技術文献】
【特許文献】
【０００３】
【特許文献１】特開２０１２−２０８８３７号公報
【発明の概要】
【発明が解決しようとする課題】
【０００４】
しかしながら、この特許文献１に記載された情報提供装置では、購入者は、食材の数量については配慮する必要がないものの、お得な商品の情報を簡単な操作で効率よく更に得たいということがあった。提供者は、顧客のニーズに合わせた情報を提供することができるものの、提供したいものを十分に顧客にアピールしたいことがあった。上述した装置では、提供者が提供したい情報を効率よく提供することについては考慮されていなかった。
【０００５】
本発明は、このような課題に鑑みなされたものであり、販売者がより多く提供したいと考える食料品を含む商品の情報を購入者に提供することができる情報提供装置及び情報提供方法を提供することを主目的とする。
【課題を解決するための手段】
【０００６】
本発明は、上述の主目的を達成するために以下の手段を採った。
【０００７】
本発明の情報提供装置は、
食料品を少なくとも含む商品の販売情報を提供する情報提供装置であって、
前記商品の重み付けを表す重付情報が設定されている前記商品の情報を含む商品データベースと、１以上の前記商品を用いた料理の情報を含むレシピデータベースとを記憶する記憶手段と、
購入者の端末へ前記商品の情報を前記商品データベースに基づいて提供し、該購入者の端末から前記商品の選択を入力すると、該選択された商品を用いた１以上のレシピであって、前記重付情報により重み付けられた他の商品を用いるレシピを前記重付情報に応じた優先順位で含む一覧メニュー情報を前記商品データベース及び前記レシピデータベースを用いて作成し、該作成した前記一覧メニュー情報を前記購入者の端末へ出力する出力制御手段と、
を備えたものである。
【０００８】
この装置では、購入者の端末へ、食料品を少なくとも含む商品の情報を商品データベースに基づいて提供し、購入者の端末から商品の選択を入力する。すると、この装置では、選択された商品を用いた１以上のレシピであって、重付情報により重み付けられた他の商品を用いるレシピを重付情報に応じた優先順位で含む一覧メニュー情報を商品データベース及びレシピデータベースを用いて作成する。そして、この装置は、作成した一覧メニュー情報を購入者の端末へ出力する。この装置では、重付情報を用いて重み付けられた商品を含むレシピが優先的な情報として一覧メニュー情報に含まれるため、販売者がより多く提供したいと考える食料品を含む商品の情報を購入者に提供することができる。
【０００９】
本発明の情報提供装置において、前記出力制御手段は、前記商品の情報を配列した商品画面を前記購入者の端末へ出力し前記商品の選択を入力したあと、前記商品画面で選択された商品の情報に隣接配置され、前記優先順位の高いレシピをより上位に配置した一覧メニュー画面を前記一覧メニュー情報として前記購入者の端末へ出力するものとしてもよい。この装置では、優先順位の高いレシピをより上位に配置した一覧メニュー画面を用いて、販売者がより多く提供したいと考える商品の情報を購入者に提供することができる。この情報提供装置において、前記一覧メニュー画面には、前記重付情報により重み付けられた他の商品の情報を含む前記レシピに要する商品リスト表示欄と、前記レシピによる調理法の情報を表示する調理法表示欄と、前記レシピに要する前記商品の価格に関する情報を表示する価格表示欄とのうち１以上を前記レシピごとに含むものとしてもよい。この装置では、商品リスト表示欄、調理法表示欄及び価格表示欄のいずれかを用いて、重み付けられた商品の情報を購入者へ提供することができる。ここで、「より上位」とは、例えば、上から下へスクロールする画面では上部、右から左へスクロールする画面では右側など、画面の先頭側（画面スクロールの上流側）としてもよい。
【００１０】
本発明の情報提供装置において、前記重付情報は、お買い得度、お勧め度及び商品の利益率のうち１以上の基準に基づいて販売者により設定されているものとしてもよい。この装置では、お買い得度、お勧め度及び商品の利益率のいずれかにより優先された商品の情報を購入者に提供することができる。ここで、お買い得度は、例えば、商品の質に対して低価格であるか、又は、価格に対して高品質であるなどの度合いをいう。また、お勧め度は、例えば、数量限定や入手困難である度合いをいう。利益率は、販売したときの利益が出やすい度合いをいうものとする。
【００１１】
本発明の情報提供装置において、前記出力制御手段は、前記商品の選択回数を加味した前記重付情報に応じた優先順位で前記レシピを含む前記一覧メニュー情報を作成するものとしてもよい。この装置では、購入者の購買意欲を加味して商品の情報を購入者に提供することができる。
【００１２】
本発明の情報提供装置において、前記重付情報は、ポイント数が大きいほど重みが重く設定されており、該重みが重いほど前記優先順位が高いものとしてもよい。こうすれば、ポイント数を用いて重み付けを行いやすく、より容易に商品の情報を購入者に提供することができる。
【００１３】
本発明の情報提供装置において、前記出力制御手段は、前記選択された商品を材料として含むレシピを前記レシピデータベースから抽出し、該抽出したレシピに要する他の商品の情報を前記重付情報と共に前記商品データベースから取得し、前記レシピに要する他の商品の重付情報を前記レシピごとに集計し、前記集計結果に基づいて前記優先順位を設定し、前記優先順位の順に前記レシピを含む前記一覧メニュー情報を作成するものとしてもよい。
【００１４】
本発明の情報提供装置は、前記購入者により購入済みの商品を施錠可能な複数の納品庫を有するストッカに配送するストッカシステムに用いられるものとしてもよい。即ち、本発明のストッカシステムは、購入済みの商品を収容するストッカと、上述したいずれかの情報提供装置を備えるものとしてもよい。
【００１５】
本発明の情報提供方法は、
食料品を少なくとも含み重み付けを表す重付情報が設定されている商品の情報を含む商品データベースと、１以上の前記商品を用いた料理の情報を含むレシピデータベースとを記憶する記憶手段、を備え、前記商品の販売情報を提供するコンピュータが実行する情報提供方法であって、
（ａ）購入者の端末へ前記商品の情報を前記商品データベースに基づいて提供するステップと、
（ｂ）前記購入者の端末から前記商品の選択を入力すると、該選択された商品を用いた１以上のレシピであって、前記重付情報により重み付けられた他の商品を用いるレシピを前記重付情報に応じた優先順位で含む一覧メニュー情報を前記商品データベース及び前記レシピデータベースを用いて作成するステップと、
（ｃ）前記作成した前記一覧メニュー情報を前記購入者の端末へ出力するステップと、
を含むものである。
【００１６】
この方法は、上述した情報提供装置と同様に、重付情報を用いて重み付けられた商品を含むレシピが優先的な情報として一覧メニュー情報に含まれるため、販売者がより多く提供したいと考える食料品を含む商品の情報を購入者に提供することができる。なお、この情報提供方法において、上述した情報提供装置の種々の態様を採用してもよいし、また、上述した情報提供装置の各機能を実現するようなステップを追加してもよい。
【図面の簡単な説明】
【００１７】
【図１】ストッカシステム１０の一例を表す概略説明図。
【図２】記憶部２３に記憶された情報の説明図。
【図３】情報提供処理ルーチンの一例を表すフローチャート。
【図４】商品画面５０の一例を表す説明図。
【図５】一覧メニュー画面６０の一例を表す説明図。
【図６】レシピ表示画面７０の一例を表す説明図。
【発明を実施するための形態】
【００１８】
次に、本発明の実施形態について、図面を用いて説明する。図１は、本発明の一実施形態であるストッカシステム１０の構成の概略説明図である。図２は、店舗サーバ２１の記憶部２３に記憶された情報の説明図である。ストッカシステム１０は、本発明の情報提供装置としての店舗サーバ２１を含んでおり、管理サーバ３１と、複数のストッカ４０とを備えている。このストッカシステム１０は、例えば、ストッカ４０Ａ〜４０Ｃなどを有している。なお、ストッカ４０Ａ〜４０Ｃは、ストッカ４０と総称する。商店２０の店舗サーバ２１、管理サーバ３１、複数のストッカ４０及び購入者１４の携帯端末１５は、インターネットなどのネットワーク１２に接続されている。
【００１９】
店舗サーバ２１は、例えばスーパーなどの商店２０に設置されている。この店舗サーバ２１は、ネットワーク１２にて購入者１４に食料品を少なくとも含む商品１７の販売情報を提供する情報提供装置として構成されている。店舗サーバ２１は、購入者１４の携帯端末１５からの依頼などに応じて商品１７の情報に関する画面を送信する。この店舗サーバ２１は、制御部２２と、記憶部２３と、通信部２８とを備えている。制御部２２は、ＣＰＵ、ＲＯＭ及びＲＡＭなどにより構成され装置全体の制御を司るものである。記憶部２３は、各種アプリケーションプログラムや各種データファイルを記憶するものである。通信部２８は、管理サーバ３１などの外部機器と通信を行うものである。また、店舗サーバ２１は、作業者が各種指令を入力するキーボード及びマウス等の入力デバイスと、各種情報を表示するディスプレイとを備えている。
【００２０】
店舗サーバ２１は、記憶部２３に商品データベース（ＤＢ）２４や、レシピＤＢ２５、販売ＤＢ２６などが記憶されている。図２に示すように、商品データベース２４には、商品１７の種別、商品名、単価、商品１７の重み付けを表す重付情報２７、購入者１４により該当商品が選択された回数に関する選択情報などが含まれている。重付情報２７は、例えば、仕入れごとや毎週所定曜日など所定のタイミングで販売担当者により設定される情報であり、お買い得度、お勧め度及び商品１７の利益率のうち１以上の基準に基づいて設定されている。ここで、お買い得度は、例えば、商品１７の質に対して低価格であるか、又は、価格に対して高品質であるなどの度合いをいう。また、お勧め度は、例えば、数量限定や入手困難である度合いをいう。利益率は、販売したときの利益が出やすい度合いをいうものとする。ここでは、重み付けは、例えば、最小値０〜最大値１００のポイント数の間とし、所定期間での売り上げをより多くしたい商品１７ほど高い値が設定されるものとする。選択情報は、例えば、購入者１４へ提供した情報のうち、その商品１７が選択購入された回数に応じて積算される選択値を含み、例えば、１回の選択で重み付けの所定値（例えば値「０．０１」など）が加算される。この選択値により、重付情報２７に、購入者１４の購入傾向などを加味することができる。レシピＤＢ２５は、１以上の商品１７を用いた料理の情報を含むものであり、レシピの種別、レシピ名、材料の種類及び必要量、レシピによる調理法の情報（作り方）などが、各レシピごとに含まれている。レシピの種別には、例えば、主菜、副菜、サラダ、スープなどが含まれる。このレシピＤＢ２５は、季節ごとに含まれるレシピの内容が変更されるものとしてもよい。販売ＤＢ２６には、例えば、購入者１４により購入された商品１７の情報などが含まれている。
【００２１】
管理サーバ３１は、例えばストッカシステム１０を提供する提供会社に設置されており、ストッカシステム１０の管理運営を行う情報処理装置として構成されている。管理サーバ３１は、店舗サーバ２１からの依頼などに応じて商品１７を保管するストッカ４０の納品庫４１を設定したり、設定した納品庫４１の情報を携帯端末１５へ送信したりする。この管理サーバ３１は、制御部３２と、記憶部３３と、通信部３８とを備えている。制御部３２は、ＣＰＵ、ＲＯＭ及びＲＡＭなどにより構成され装置全体の制御を司るものである。記憶部３３は、各種アプリケーションプログラムや各種データファイルを記憶するものである。通信部３８は、店舗サーバ２１などの外部機器と通信を行うものである。記憶部３３には、ストッカ情報３４や顧客ＤＢ３５などが記憶されている。ストッカ情報３４には、例えば、ストッカシステム１０が有するストッカ４０の配置場所や納品庫４１の使用状況などの情報が含まれる。このストッカ情報３４には、納品庫対応テーブルや、物品有無テーブルなどが含まれる。納品庫対応テーブルは、複数のストッカ４０と、ストッカ４０の中のいずれの納品庫４１かを特定可能な納品庫番号と、購入者１４の会員ＩＤと、商品１７の発注を識別するための伝票ＩＤと、納品庫４１を解錠するための解錠コードと、を対応付けたテーブルである。物品有無テーブルは、複数のストッカ４０と、納品庫番号と、納品庫４１内の物品の有無を表す物品有無と、を対応付けたテーブルである。顧客ＤＢ３５には、購入者１４の情報、例えば、年齢、居住地、家族構成、支払い方法などの情報が含まれている。この顧客ＤＢ３５には、購入者１４の会員ＩＤと、購入者１４のメールアドレスとを対応付けた会員情報テーブルも含まれている。
【００２２】
ストッカ４０は、商店２０から配送される商品１７を購入者１４へ受け渡す際に用いられる装置である。ストッカ４０は、施錠可能な複数（例えば３０個）の納品庫４１と、表示操作部４２と、読取機４３，４８と、図示しない制御部とを備えている。納品庫４１の各々は、商品１７等の物品を収容可能な内部空間を有しており、前面の扉４４と、扉４４の施錠及び解錠を行うロック機構４５と、納品庫４１内の物品の有無を検出する物品センサ４６と、扉４４の開閉を検出する開閉センサ４７と、を備えている。表示操作部４２は、ストッカ４０の前面に配置されたタッチパネルなどを備えており、商品１７の配達者１９及び購入者１４への各種情報の表示や、配達者１９及び購入者１４からの各種操作の入力を行う。読取機４３は、購入者１４が納品庫４１の解錠に用いるＱＲコード（登録商標）を読み取るＱＲコードリーダであり、ストッカ４０の前面の表示操作部４２付近に配置されている。読取機４８は、商店２０から配送される商品１７に付されたバーコード１８を読み取る手持ち式のバーコードリーダである。制御部は、装置全体を制御するものであり、表示操作部４２や読取機４３，４８と信号のやりとりを行う。ストッカ４０は、多数の購入者１４が利用可能であり、オフィス、コンビニエンスストア、工場、駅、学校、マンションなど様々な場所に配置されている。例えば、ストッカ４０Ａは、購入者１４の勤務先のオフィスの建物内に配置され、ストッカ４０Ｂは、車両交通の多い大通り沿いに配置され、ストッカ４０Ｃは公共交通機関の駅構内に配置されている。
【００２３】
次に、ストッカシステム１０の動作、特に購入者１４の商品１７の発注から受け取りの処理について説明する。まず、購入者１４は、携帯端末１５を操作して商店２０のウェブサイトにアクセスし、希望する商品１７，自身の会員ＩＤ，受け取りを希望するストッカ４０などを入力して、商品１７の発注を行う。発注が行われると、店舗サーバ２１は入力された情報を取得し、発注を管理する伝票ＩＤを付してこれらの発注情報を販売ＤＢ２６で管理する。また、店舗サーバ２１は、発注情報のうち会員ＩＤ，伝票ＩＤ及び受取希望のストッカ４０の情報を管理サーバ３１に送信する。管理サーバ３１は、これらの情報を入力すると、未使用の納品庫４１をストッカ情報３４に基づいて調べ、配送先のストッカ４０及び納品庫４１の割り当てを行う。次に、管理サーバ３１は、納品庫４１の解錠コードを決定し、会員ＩＤ，伝票ＩＤ，決定したストッカ４０及び納品庫４１の納品庫番号，解錠コードを対応付けて、ストッカ情報３４に追加する。一方、商店２０の店員は、店舗サーバ２１に記憶された発注情報に基づいて、商品１７の手配や配達者１９に対する商品１７の配送指示などを行う。なお、商品１７には、伝票ＩＤを表すバーコード１８が付される。配達者１９は、商品１７を配送指示されたストッカ４０に配送する。配達者１９は、ストッカ４０に到着すると、商品１７に付されたバーコード１８を読取機４８に読み取らせる。ストッカ４０の制御部は、ストッカ情報３４の納品庫対応テーブルにおいて入力されたバーコード１８が表す伝票ＩＤに対応する納品庫番号を調べ、納品庫番号で特定される納品庫４１を解錠する。配達者１９は、解錠された納品庫４１内に商品１７を納入して扉４４を閉め、表示操作部４２を操作して納品完了した旨を入力する。ストッカ４０の制御部は、納品完了を入力すると、ロック機構４７を制御して納品庫４１を施錠する。また、ストッカ４０の制御部は、物品センサ４６の検出信号に基づいて商品１７が新たに納入された納品庫４１が物品無しから物品有りに変更されたことを検出して、ストッカ情報３４の物品有無テーブルを更新するよう、管理サーバ３１に変更内容を送信する。
【００２４】
続いて、管理サーバ３１の制御部３２は、ストッカ４０から入力した変更内容に基づいてストッカ情報３４の物品有無テーブルを更新する。また、管理サーバ３１は、物品有りに変更になった納品庫４１に対応する会員ＩＤのメールアドレスに、納品されたストッカ４０の情報や解錠コードを表すＱＲコードなどが含まれる納品完了メールを送信する。納品完了メールを携帯端末１５で受信した購入者１４は、納品されたストッカ４０に商品１７の受け取りに向かい、携帯端末１５の表示画面にＱＲコードを表示させて読取機４３に読み取らせる。ストッカ４０の制御部は、納品庫対応テーブルにおいて入力されたＱＲコードが表す解錠コードに対応する納品庫番号を調べ、納品庫番号で特定される納品庫４１を解錠する。また、ストッカ４０の制御部は、物品センサ４６及び開閉センサ４７の検出信号に基づいて商品１７の受取及び閉扉を検出すると、納品庫４１を施錠すると共にストッカ情報３４の物品有無テーブルを更新したり、納品庫対応テーブルを更新したりする。管理サーバ３１のストッカ情報３４にもこれらの更新が反映される。このストッカシステム１０では、購入者１４は、例えば出勤前あるいはオフィスにいる間に発注を行って、オフィスからの退社時にストッカ４０Ａで商品１７を受け取ることができ、商品１７を受け取りに行く手間が省ける。あるいは、ストッカ４０Ｂやストッカ４０Ｃが購入者１４の通勤経路上にあれば、購入者１４は通勤途中で商品１７を受け取ることもできる。
【００２５】
次に、購入者１４に商品１７の情報を提供する処理について説明する。図３は、店舗サーバ２１の制御部２２により実行される情報提供処理ルーチンの一例を表すフローチャートである。このルーチンは、記憶部２３に記憶され、店舗サーバ２１の起動と共に実行される。このルーチンが開始されると、店舗サーバ２１の制御部２２は、まず、商品ＤＢ２４及びレシピＤＢ２５を記憶部２３から読み出して取得する（ステップＳ１００）。次に、制御部２２は、商品画面の出力依頼があるか否かを判定する（ステップＳ１１０）。商品画面の出力依頼は、例えば、店舗サーバ２１により提供されるウェブサイトに購入者１４が端末（ＰＣや携帯端末１５）からアクセスすることにより出力されるものとする。商品画面の出力依頼があったときには、商品ＤＢ２４及びレシピＤＢ２５を用いて、重付情報２７に応じた優先順位で商品１７を配置した商品画面を作成し、出力処理を行う（ステップＳ１２０）。図４は、商品画面５０の一例を表す説明図である。図４に示すように、商品画面５０には、項目を選択する際に移動させるカーソル５１が表示され、商品１７の画像及び価格などが表示される商品表示欄５２が含まれている。商品画面５０では、商品１７の種別ごとに１以上の商品表示欄５２が配列されている。例えば、重付情報２７に所定の閾値より大きい値（例えばポイント数８０など）が設定されている商品１７の商品表示欄５２には、「おすすめ」の表示が付される。この商品画面５０が、購入者１４の利用する端末に表示される。
【００２６】
ステップＳ１２０のあと、又は、ステップＳ１１０で商品画面の出力依頼がないときは、制御部２２は、購入者１４の端末において、商品１７が選択されたか否かを商品画面５０の商品表示欄５２が選択されたか否かに基づいて判定する（ステップＳ１３０）。商品１７が選択されたときには、制御部２２は、選択された商品１７を材料として含む１以上のレシピをレシピＤＢ２５から抽出する（ステップＳ１４０）。例えば、商品画面５０で「大根」が選択された場合は、材料として大根を含む、ぶり大根、おでん、豚バラ大根などのレシピが抽出される。次に、制御部２２は、抽出されたレシピに要する他の商品１７を読み出し、他の商品１７の重付情報２７をレシピごとに集計する（ステップＳ１５０）。例えば、重付情報２７に値１００が付けられた商品１７を２つ含むレシピでは、単純に値を加算して、集計値は値２００となる。また、重み付けの集計では、購入者により選択購入された選択情報に含まれる選択値（図２参照）を加えるものとする。こうすれば、購入者１４に選択購入されているものがより優先される。続いて、制御部２２は、集計結果に基づいてレシピの優先順位を設定する（ステップＳ１６０）。レシピの優先順位の設定は、例えば、集計された値が大きいほど優先順位が高くなるように行ってもよい。また、重付情報２７の集計値が同値であるレシピが複数ある場合は、例えば、材料の商品数が多いレシピを優先させてもよい。次に、制御部２２は、商品１７の価格情報を作成する（ステップＳ１７０）。価格情報の作成とは、例えば、購入者１４の家族人数分の料理を作ったときの材料の総額を求めたり、まとめ売りなど販売単位で要する材料の総額を求めるなどの処理を行う。なお、価格情報は、調味料の金額を含むものと含まないものとが作成されてもよい。
【００２７】
続いて、制御部２２は、抽出したレシピの情報とレシピの優先順位と価格情報とを用いて一覧メニュー画面を作成し、出力処理する（ステップＳ１８０）。図５は、一覧メニュー画面６０の一例を表す説明図である。この一覧メニュー画面６０は、選択された商品表示欄５２の近傍（図５では右隣）に表示される。一覧メニュー画面６０には、メニュー変更入力欄６１、表示順変更入力欄６２、レシピ表示欄６３などが含まれる。メニュー変更入力欄６１は、表示させるレシピの種別を選択入力する欄である。メニュー変更入力欄６１には、主菜、副菜などのチェックボックスがあり、このチェックボックスのいずれかがチェックされて再表示キー６６が押下されると、制御部２２は、選択された種別のレシピを配置した一覧メニュー画面６０を作成して購入者１４の端末へ出力する。表示順変更入力欄６２は、レシピの優先順位を選択入力する欄である。表示順変更入力欄６２には、安い順、人気順などのチェックボックスがあり、このチェックボックスのいずれかがチェックされて再表示キー６６が押下されると、制御部２２は、選択された優先順位でレシピを配置した一覧メニュー画面６０を作成して購入者１４の端末へ出力する。なお、人気順は、例えば、レシピ表示欄６３の選択された回数などに基づいて設定されてもよい。レシピ表示欄６３には、画像表示欄６４と、商品リスト表示欄６５、価格表示欄６６、購入入力欄６７などが含まれている。画像表示欄６４には、料理の画像が表示される。レシピ表示欄６３には、優先順位の高いレシピがより上位（上部）に配置されている。商品リスト表示欄６５には、材料の商品１７が配列されて表示される。価格表示欄６６には、所定人数分の総額と商品１７の購入可能単位（例えば１パックなど）での販売価格とが配列されて表示される。購入入力欄６７は、商品１７を選択購入する際に押下される欄である。このレシピ表示欄６３では、商品リスト表示欄６５のプルダウンキーが押下されると、同種の商品１７（例えば、天然ブリと養殖ブリなど）の情報がプルダウンメニューで表示される。また、レシピ表示欄６３には、例えば、重み付けが所定の閾値（例えばポイント数８０など）より大きい商品１７が含まれているレシピには「おすすめ」が表示される。購入者１４は、一覧メニュー画面６０の内容を確認してレシピや商品１７の選択を行う。
【００２８】
ステップＳ１８０のあと、又はステップＳ１３０で商品１７が選択されていないときには、制御部２２は、レシピが選択されたか否かを判定する（ステップＳ１９０）。レシピの選択は、画像表示欄６４の下方に配置されたレシピ選択キー６９が押下されたか否かに基づいて行う。レシピが選択されたときには、制御部２２は、選択されたレシピの内容をレシピＤＢ２５から読み出し、レシピ表示画面を作成して購入者１４の端末へ出力処理する（ステップＳ２００）。図６は、レシピ表示画面７０の一例を表す説明図である。このレシピ表示画面７０は、選択されたレシピ表示欄６３の近傍（図６では下方）に表示される。レシピ表示画面７０には、商品リスト表示欄７５や、価格表示欄７６、調理法表示欄７８などが含まれる。レシピ表示画面７０の商品リスト表示欄７５には、調味料なども表示される。価格表示欄７６には、プルダウンキーが設けられており、購入数が入力できるようになっている。調理法表示欄７８には、料理の具体的な作り方が詳細に記載されている。
【００２９】
ステップＳ２００のあと、又はステップＳ１９０でレシピが選択されていないときには、制御部２２は商品１７が選択購入されたか否かを判定する（ステップＳ２１０）。商品１７の購入は、一覧メニュー画面６０の購入入力欄６７の入力確定やレシピ表示画面７０の価格表示欄７６での購入数の入力確定により行われる。商品１７が選択購入されたときには、制御部２２は、選択情報を更新し（ステップＳ２２０）、ステップＳ１００以降の処理を実行する。即ち、制御部２２は、ステップＳ１２０やＳ１６０で、更新された選択情報を加味した重付情報２７を用いて商品１７やレシピの優先順位を設定する。一方、ステップＳ２１０で商品１７が選択購入されていないときには、ステップＳ１１０以降の処理を実行する。
【００３０】
ここで、本実施形態の構成要素と本発明の構成要素との対応関係を明らかにする。本実施形態の記憶部２３が本発明の記憶手段に相当し、制御部２２が出力制御手段に相当する。なお、本実施形態では、店舗サーバ２１の動作を説明することにより本発明の情報提供方法の一例も明らかにしている。
【００３１】
以上説明した実施形態の店舗サーバ２１は、購入者１４の端末へ、食料品を少なくとも含む商品１７の情報を商品ＤＢ２４に基づいて提供し、購入者１４の端末から商品１７の選択を入力すると、選択された商品１７を用いた１以上のレシピであって、重付情報２７により重み付けられた他の商品１７を用いるレシピを重付情報２７に応じた優先順位で含む一覧メニュー画面６０を商品ＤＢ２４及びレシピＤＢ２５を用いて作成する。そして、店舗サーバ２１は、作成した一覧メニュー画面６０を購入者１４の端末へ出力する。店舗サーバ２１では、重付情報２７を用いて重み付けられた商品１７を含むレシピが優先的な情報として一覧メニュー画面６０に含まれるため、販売者がより多く提供したいと考える食料品を含む商品１７の情報を購入者１４に提供することができる。
【００３２】
また、一覧メニュー画面６０には、重付情報２７により重み付けられた他の商品１７の情報を含むレシピに要する商品リスト表示欄６５と、レシピに要する商品１７の価格に関する情報を表示する価格表示欄６６とをレシピごとに含むため、制御部２２は、商品リスト表示欄６５や価格表示欄６６を用いて、重み付けられた商品１７の情報を購入者１４へ提供することができる。更に、重付情報２７は、お買い得度、お勧め度及び商品１７の利益率のうち１以上の基準に基づいて販売者により設定されているため、制御部２２は、お買い得度、お勧め度及び商品１７の利益率のいずれかにより優先された商品１７の情報を購入者１４に提供することができる。更にまた、制御部２２は、レシピの選択回数に応じて更新された選択情報を加味した重付情報２７に応じた優先順位で一覧メニュー画面６０を作成するため、購入者１４の購買意欲を加味して商品１７の情報を購入者１４に提供することができる。そして、重付情報２７は、ポイント数が大きいほど重みが重く設定されており、重みが重いほど優先順位が高いため、ポイント数を用いて重み付けを行いやすく、より容易に商品１７の情報を購入者１４に提供することができる。そしてまた、ストッカシステム１０は、商品１７をネットワーク１２上で購入するものであるため、本発明の店舗サーバ２１をストッカシステム１０に適用する意義が高い。
【００３３】
なお、本発明は上述した実施形態に何ら限定されることはなく、本発明の技術的範囲に属する限り種々の態様で実施し得ることはいうまでもない。
【００３４】
例えば、上述した実施形態では、制御部２２は、購入者１４の端末へ一覧メニュー画面６０を出力するものとしたが、購入者１４の端末のアプリケーションで画面を作成するものとすれば、購入者１４の端末へ、重付情報２７により重み付けられた他の商品１７を用いるレシピを重付情報２７に応じた優先順位で含む一覧メニュー情報（データ）を出力するものとしてもよい。こうしても、販売者がより多く提供したいと考える食料品を含む商品１７の情報を購入者１４に提供することができる。
【００３５】
上述した実施形態では、一覧メニュー画面６０には、商品リスト表示欄６５及び価格表示欄６６を含むものとしたが、特にこれに限定されず、いずれかを省略してもよいし、更に他の表示欄、例えば調理法表示欄７８を含むものとしてもよい。
【００３６】
上述した実施形態では、制御部２２は、商品１７の選択回数を加味した重付情報２７に応じた優先順位でレシピを含む一覧メニュー画面６０を作成するものとしたが、商品１７の選択回数を加味することを省略してもよい。こうしても、制御部２２は、重付情報２７を用いることにより、販売者がより多く提供したいと考える商品１７の情報を購入者１４に提供することができる。
【００３７】
上述した実施形態では、重付情報２７はポイント数が大きいほど重みが重く設定されており重みが重いほど優先順位が高いものとしたが、特にこれに限定されず、ポイント数が小さい方が優先順位が高いものとしてもよいし、ポイント数を用いなくてもよい。
【００３８】
上述した実施形態では、商品画面５０、一覧メニュー画面６０及びレシピ表示画面７０は、重ねられて表示されるものとして説明したが、特にこれに限定されず、各画面が切り替わるものとしてもよいし、商品画面５０に一覧メニュー画面６０やレシピ表示画面７０がはめ込まれて１画面で表示されてもよい。
【００３９】
上述した実施形態では、ストッカシステム１０で用いられる店舗サーバ２１で一覧メニュー画面６０を提供するものとしたが、特にこれに限定されず、ストッカシステム１０がないものとしてもよい。こうしても、店舗サーバ２１は、重付情報２７を用いることにより、販売者がより多く提供したいと考える商品１７の情報を購入者１４に提供することができる。
【００４０】
上述した実施形態では、重付情報２７はお買い得度、お勧め度及び商品１７の利益率のうち１以上の基準に基づいて販売者により設定されているものとしたが、特にこれに限定されず、選択情報によって購入者１４の選択回数で重付情報２７が設定されるものとしてもよい。
【００４１】
上述した実施形態では、より優先的な商品１７の情報をより上部に配置した一覧メニュー画面６０としたが、特にこれに限定されず、より優先的な商品１７の情報をより上位に配置した一覧メニュー画面を作成するものとしてもよい。この「より上位」とは、例えば、上から下へスクロールする画面では上部、右から左へスクロールする画面では右側など、画面の先頭側（画面スクロールの上流側）としてもよい。
【００４２】
上述した実施形態では、本発明の情報提供装置を店舗サーバ２１として説明したが、特にサーバでなくてもよい。また、本発明を情報提供装置である店舗サーバ２１として説明したが、情報提供方法としてもよい。
【産業上の利用可能性】
【００４３】
本発明は、商品をネットワークを介して提供するネットショッピングの技術分野に利用可能である。
【符号の説明】
【００４４】
１０  ストッカシステム、１２  ネットワーク、１４  購入者、１５  携帯端末、１７  商品、１８  バーコード、１９  配達者、２０  商店、２１  店舗サーバ、２２  制御部、２３  記憶部、２４  商品データベース（ＤＢ）、２５  レシピＤＢ、２６  販売ＤＢ、２７  重付情報、２８  通信部、３１  管理サーバ、３２  制御部、３３  記憶部、３４  ストッカ情報、３５  顧客データベース、３８  通信部、４０，４０Ａ〜４０Ｃ  ストッカ、４１  納品庫、４２  表示操作部、４３  読取機、４４  扉、４５  ロック機構、４６  物品センサ、４７  開閉センサ、４８  読取機、５０  商品画面、５１  カーソル、５２  商品表示欄、６０  一覧メニュー画面、６１  メニュー変更入力欄、６２  表示順変更入力欄、６３  レシピ表示欄、６４  画像表示欄、６５  商品リスト表示欄、６６  価格表示欄、６７  購入入力欄、６８  再表示キー、６９  レシピ選択キー、７０  レシピ表示画面、７５  商品リスト表示欄、７６  価格表示欄、７８  調理法表示欄。
【図１】
0006600141.tif 000002
【図２】
0006600141.tif 000003
【図３】
0006600141.tif 000004
【図４】
0006600141.tif 000005
【図５】
0006600141.tif 000006
【図６】
0006600141.tif 000007